(57)【要約】  第２の装置から入力を受信し、その入力に応じて装置設定又は第３の装置の設定を調節することを含む、第１の装置上で装置設定を調節する方法及び機器について記載する。
2018526841.tif 000002
【特許請求の範囲】
【請求項１】
第１の装置上で装置設定を調節する、コンピュータによって実施される方法であって、
第２の装置から入力を受信すること、及び
前記入力に応じて前記装置設定又は第３の装置の設定を調節することであって、前記第３の装置は照明、サーモスタット、モノのインターネット装置、及び制御可能な家庭電化製品のうちの１つである、調節すること
を含む、コンピュータによって実施される方法。
【請求項２】
第１の装置上で装置設定を調節する方法であって、
第２の装置から入力を受信すること、及び
前記入力に応じて前記装置設定又は第３の装置の設定を調節すること
を含む、方法。
【請求項３】
前記第２の装置は、領域内に存在する誰かがロゴを有する衣類を着ているかどうかを検出し、前記衣類を誰かが着ている場合、前記ロゴを有する前記衣類に応じて前記装置設定を或るモードに調節する、請求項２に記載の方法。
【請求項４】
前記第２の装置は、カメラであるか、又は、カメラを含む、請求項２に記載の方法。
【請求項５】
前記カメラは、ビデオカメラ、赤外線カメラ、熱探知カメラ、静止カメラ、プレノプティックカメラ、又は飛行時間カメラである、請求項４に記載の方法。
【請求項６】
前記第２の装置は、センサである、請求項２に記載の方法。
【請求項７】
前記センサは、運動センサ、熱センサ、湿度センサ、パワーメータ、又はこれらの任意の組合せである、請求項６に記載の方法。
【請求項８】
前記第２の装置は、マイクロフォンである、請求項２に記載の方法。
【請求項９】
領域内に存在する一部の人は前記装置上でレンダリングされているスポーツイベントに集中したく、そこに存在する他の人は会話をしたいことを前記第２の装置が検出し、かかる競合が検出される場合にクローズドキャプションを自動で呼び出す、請求項２に記載の方法。
【請求項１０】
前記第２の装置は、カメラであるか、又は、カメラを含む、請求項９に記載の方法。
【請求項１１】
前記カメラは、ビデオカメラ、赤外線カメラ、熱探知カメラ、静止カメラ、プレノプティックカメラ、又は飛行時間カメラである、請求項１０に記載の方法。
【請求項１２】
前記第２の装置は、センサである、請求項９に記載の方法。
【請求項１３】
前記センサは、運動センサ、熱センサ、湿度センサ、パワーメータ、又はこれらの任意の組合せである、請求項１２に記載の方法。
【請求項１４】
前記第３の装置は、センサ、カメラ、照明、サーモスタット、モノのインターネット装置、及び制御可能な家庭電化製品のうちの１つである、請求項２に記載の方法。
【請求項１５】
第１の装置がプロファイル情報を決定する方法であって、
第２の装置から入力を受信することであって、前記第２の装置は領域内に存在する人の物理的特性を検出し、前記物理的特性は前記領域内の利用者の存在を特定するために前記装置によって使用され、更に前記領域内の利用者の存在を前記特定することがプロファイル情報を決定するために使用される、受信すること
を含む、方法。
【請求項１６】
前記プロファイル情報は、物理的特性、年齢、性別、好きなチーム、又は人若しくはプロファイル間の関係を含む、請求項１５に記載の方法。
【請求項１７】
前記プロファイル情報は、記憶され経時的に更新される、請求項１６に記載の方法。
【請求項１８】
前記第２の装置が子どもの前記存在を検出し、前記装置はコンテンツを受信しレンダリングするために使用され、次いでペアレンタルコントロールが自動で呼び出される、請求項１５に記載の方法。
【請求項１９】
前記ペアレンタルコントロールは、親、保護者、又は前記子どもと所定の関係を有する他の成人によってオーバーライドされ得る、請求項１８に記載の方法。
【請求項２０】
前記第２の装置が３Ｄメガネの前記存在を検出し、誰かが３Ｄメガネを着用している場合は３Ｄモードをオンにするように前記装置の設定を調節する、請求項１６に記載の方法。
【請求項２１】
前記第２の装置が３Ｄメガネの前記存在を検出し、所定数の人が３Ｄメガネを着用している場合は３Ｄモードをオンにするように前記装置の設定を調節する、請求項１６に記載の方法。
【請求項２２】
装置設定を調節する機器であって、
通信インタフェースモジュールであって、第２の装置から入力を受信する、通信インタフェースモジュールと、
設定調節モジュールであって、前記設定調節モジュールは前記入力に応じて前記装置設定又は第３の装置の設定を調節し、前記第３の装置は照明、サーモスタット、モノのインターネット装置、及び制御可能な家庭電化製品のうちの１つであり、前記機器は第１の装置であり、前記第１の装置は家庭用電子機器である、設定調節モジュールと
を含む、機器。
【請求項２３】
装置設定を調節する機器であって、
通信インタフェースモジュールであって、第２の装置から入力を受け付ける、通信インタフェースモジュールと、
設定調節モジュールであって、前記設定調節モジュールは前記入力を使用して前記装置設定を調節し、又は前記入力に応じて第３の装置の設定を調節し、前記機器は第１の装置である、設定調節モジュールと
を含む、機器。
【請求項２４】
第２の機器は、領域内に存在する誰かがロゴを有する衣類を着ているかどうかを検出し、前記衣類を誰かが着ている場合、前記ロゴを有する前記衣類に応じて前記装置設定を或るモードに調節する、請求項２３に記載の機器。
【請求項２５】
第２の機器はカメラであるか、又は、前記第２の装置はカメラを含む、請求項２３に記載の機器。
【請求項２６】
前記カメラは、ビデオカメラ、赤外線カメラ、熱探知カメラ、静止カメラ、プレノプティックカメラ、又は飛行時間カメラである、請求項２５に記載の機器。
【請求項２７】
第２の機器は、センサである、請求項２３に記載の機器。
【請求項２８】
前記センサは、運動センサ、熱センサ、湿度センサ、パワーメータ、又はこれらの任意の組合せである、請求項２７に記載の機器。
【請求項２９】
領域内に存在する一部の人が前記機器上でレンダリングされているスポーツイベントに集中したく、そこに存在する他の人が会話をしたいことを第２の機器が検出し、かかる競合が検出される場合にクローズドキャプションを自動で呼び出す、請求項２３に記載の機器。
【請求項３０】
第２の機器はカメラであるか、又は、前記第２の装置はカメラを含む、請求項２９に記載の機器。
【請求項３１】
前記カメラは、ビデオカメラ、赤外線カメラ、熱探知カメラ、静止カメラ、プレノプティックカメラ、又は飛行時間カメラである、請求項３０に記載の機器。
【請求項３２】
第２の機器は、センサである、請求項２９に記載の機器。
【請求項３３】
前記センサは、運動センサ、熱センサ、湿度センサ、パワーメータ、又はこれらの任意の組合せである、請求項３２に記載の機器。
【請求項３４】
前記第３の装置は、センサ、カメラ、照明、サーモスタット、モノのインターネット装置、及び制御可能な家庭電化製品のうちの１つである、請求項２３に記載の機器。
【請求項３５】
通信インタフェースモジュールを含む、プロファイル情報を決定する機器であって、前記通信インタフェースモジュールは第２の機器から入力を受信し、前記第２の機器は領域内に存在する人の物理的特性を検出し、前記物理的特性は前記領域内の利用者の存在を特定するために前記機器によって使用され、更に前記領域内の利用者の存在を前記特定することはプロファイル情報を決定するために使用され、前記機器は第１の装置である、機器。
【請求項３６】
前記プロファイル情報は、物理的特性、年齢、性別、好きなチーム、又は人若しくはプロファイル間の関係を含む、請求項３５に記載の機器。
【請求項３７】
前記プロファイル情報は、記憶され経時的に更新される、請求項３６に記載の機器。
【請求項３８】
前記機器が第２の機器から入力を受信し、前記第２の機器が子どもの前記存在を検出し、前記機器はコンテンツを受信しレンダリングするために使用され、次いでペアレンタルコントロールが自動で呼び出される、請求項３５に記載の機器。
【請求項３９】
前記ペアレンタルコントロールは、親、保護者、又は前記子どもと所定の関係を有する他の成人によってオーバーライドされる、請求項３８に記載の機器。
【請求項４０】
第２の装置が３Ｄメガネの前記存在を検出し、誰かが３Ｄメガネを着用している場合は３Ｄモードをオンにするように前記装置の設定を調節する、請求項３５に記載の機器。
【請求項４１】
第２の装置が３Ｄメガネの前記存在を検出し、所定数の人が３Ｄメガネを着用している場合は３Ｄモードをオンにするように前記装置の設定を調節する、請求項３５に記載の機器。
【請求項４２】
前記機器は、家庭用電子機器である、請求項３５に記載の機器。
【請求項４３】
前記家庭用電子機器は、家庭電化製品である、請求項４２に記載の機器。
【請求項４４】
前記家庭電化製品は、テレビ、セットトップボックス、及びオーディオビデオレシーバのうちの１つである、請求項４３に記載の機器。
【請求項４５】
前記機器は、家庭用電子機器である、請求項２３に記載の機器。
【請求項４６】
前記家庭用電子機器は、家庭電化製品である、請求項４５に記載の機器。
【請求項４７】
前記家庭電化製品は、テレビ、セットトップボックス、及びオーディオビデオレシーバのうちの１つである、請求項４６に記載の機器。
【発明の詳細な説明】
【技術分野】
【０００１】
提案する方法及び機器は、外的刺激に基づいて家庭電化製品の設定を自動調節することに関する。
【背景技術】
【０００２】
この節は、以下に記載の本実施形態に関係し得る技術の様々な側面を読者に紹介することを目的とする。この解説は、本開示の様々な態様をより良く理解するのを助けるための背景情報を読者に与えるのに有用だと考えられる。従って、これらの記述はかかる観点から読まれるべきことを理解すべきである。
【０００３】
人は自分の装置上の設定に関して様々な好みを有する。それらの好みは時刻や周囲照明等の状況に応じて変わり得る。室内の複数の人が大幅に異なる好みを有する場合もある。
【０００４】
一部の車両は、異なる鍵が使用される場合又は特定の運転者を示すボタンが押される場合に座席の位置及びミラーを自動で変える。かかる機能は運転者との対話（ボタンを押すこと）を必要とし得る。かかる機能は、同時に存在する複数の利用者に適用することもできない。
【発明の概要】
【０００５】
提案する方法及び機器は、利用者に応じて設定を装置に自動変更させ、２人以上の利用者間で設定を自動でネゴシエートする方法を含む。提案する方法及び機器は、装置の所有者によってそのように構成されている場合、他の外的刺激にも応じて装置設定を修正する。つまり提案する方法及び機器は、これだけに限定されないが周囲照明、時刻、室内に誰が存在するのか等の外的刺激に基づき、これだけに限定されないがＴＶ、ＳＴＢ、Ａ／Ｖレシーバ等の家庭電化製品の設定を自動調節する。
【０００６】
領域内に誰が存在するのかを特定すること、特定することに応じて設定をネゴシエートすること、及びネゴシエート済みの設定を使用して装置設定を調節することを含む、装置設定をネゴシエートし調節する方法及び機器について記載する。第２の装置から入力を受信すること、及びその入力に応じて装置設定又は第３の装置の設定を調節することを含む、第１の装置上で装置設定を調節する方法及び機器についても記載する。第２の装置から入力を受信することであって、第１の装置又は第２の装置の少なくとも一方が領域内に存在する人の物理的特性を検出し、物理的特性は領域内に誰が存在するのかを特定するために装置によって使用される、受信すること、領域内に存在する人のプロファイル情報を読み出すこと、領域内の人のプロファイル間の関係を決定すること、領域内に存在する人のプロファイル間の関係に応じて装置設定に関する折衷案をネゴシエートするための規則を適用すること、及びその折衷案に応じて第１の装置又は第３の装置の設定を調節することを含む、第１の装置がプロファイル情報を決定する方法及び機器についても記載する。
【図面の簡単な説明】
【０００７】
提案する方法及び機器は、添付図面と共に読む場合に以下の詳細な説明から最も良く理解される。図面は、以下で簡潔に説明する下記の図を含む。
【０００８】
図面は本開示の概念を例示するためのものであり、必ずしも本開示を示すための唯一の構成ではないことを理解すべきである。
【０００９】
【図１】提案する方法及び機器の原理による、例示的な装置の自動設定ネゴシエーション方式の工程図である。
【図２】提案する方法及び機器の原理による、例示的な装置構成方式の工程図である。
【図３】提案する方法及び機器の原理による、例示的な装置の動作の概略図である。
【発明を実施するための形態】
【００１０】
この説明は本開示の原理を示す。従って本明細書で明示的に説明され図示されていなくても、本開示の原理を実施し本開示の範囲に含まれる様々な構成を当業者なら考案できることが理解されよう。
【００１１】
本明細書で列挙する全ての例及び条件付き言語は、当技術分野を促進するために発明者が与える本開示の原理及び概念を読者が理解するのを助けるための教示を目的とするものであり、具体的に列挙するかかる例及び条件に限定されないものと解釈されるべきである。
【００１２】
更に、本開示並びに本開示の具体例の原理、態様、及び実施形態を列挙する本明細書の全ての表現は、その構造上の等価物及び機能上の等価物の両方を包含することを意図する。加えて、かかる等価物は現在知られている等価物並びに将来開発される等価物、即ち構造に関係なく同じ機能を実行する開発される任意の要素の両方を含むことを意図する。
【００１３】
従って、例えば本明細書に示すブロック図は、本開示の原理を具体化する例示的回路の概念図を表すことを当業者なら理解されよう。同様に、任意の工程図、流れ図、状態遷移図、疑似コード等は、コンピュータ可読媒体内で実質的に表すことができ、そのためコンピュータ又はプロセッサによって、かかるコンピュータ又はプロセッサが明示的に示されていようがいまいが実行される様々なプロセスを表すことが理解されよう。
【００１４】
図示の様々な要素の機能は、専用ハードウェア並びに適切なソフトウェアに関連してソフトウェアを実行可能なハードウェアを使用することによって与えられ得る。プロセッサによって与えられるとき、それらの機能は単一の専用プロセッサによって、単一の共用プロセッサによって、又はその一部が共用され得る複数の個別のプロセッサによって与えられ得る。更に、「プロセッサ」又は「コントローラ」という用語を明確に使用することは、ソフトウェアを実行可能なハードウェアに排他的に言及するものだと解釈すべきではなく、デジタル信号プロセッサ（ＤＳＰ）ハードウェア、ソフトウェアを記憶する読取専用メモリ（ＲＯＭ）、ランダムアクセスメモリ（ＲＡＭ）、及び不揮発性記憶域を制限なしに暗に含み得る。
【００１５】
他の従来の及び／又は特注のハードウェアも含まれ得る。同様に、図示の如何なるスイッチも概念上のものに過ぎない。その機能は、プログラムロジックの操作によって、専用ロジックによって、プログラム制御と専用ロジックとの対話によって、又は手動でさえ実行することができ、文脈からより詳細に理解されるように特定の技法が実装者によって選択可能である。
【００１６】
本明細書の特許請求の範囲では、指定の機能を行う手段として表す如何なる要素もその機能を行う任意の方法を包含することを意図し、例えばａ）その機能を行う回路素子の組合せ、又はｂ）その機能を行うためにソフトウェアを実行する適切な回路と組み合わせられる任意形式の、従ってファームウェアやマイクロコード等を含むソフトウェアを含む。かかる特許請求の範囲によって定める本開示は、列挙する様々な手段によって与えられる機能が、特許請求の範囲が必要とする方法で組み合わせられ、まとめられることにある。従って、それらの機能を提供可能な如何なる手段も本明細書に示す手段と等価と見なす。
【００１７】
提案する方法及び機器は、家庭電化製品及びその利用者を対象とする。利用者は様々な方法によって電化製品に「ログイン」することができる。一部の例は、リモコン、スマートフォン／タブレットアプリケーションによる簡単なログイン、何らかの音声ＩＤによるログイン（声による人の認識や専用ボイスコマンド「ＴＶログイン、Steve」）、視覚認識（Microsoft（登録商標）のKinect（登録商標）カメラ等）又は指紋や虹彩スキャン等の他のバイオメトリクデータによるログインである。
【００１８】
利用者がログインすると、その利用者の好みの（preferred）設定に一致するように電化製品が設定を変更する。利用者Steveが高輝度及び３０の音量設定を好む場合、電化製品はそれらを自動で設定する。
【００１９】
これらの設定は環境の現状によって修正され得る。例えば室内の周囲照明が低い場合は様々な理由から輝度設定が幾らか落とされる可能性がある。これは、部屋の現状に対して輝度が高過ぎることや輝度を落とすことで節電できることであり得る。室内の周囲雑音に対処するために音声レベルを変えることができる。更に話を進めると、電化製品がビデオカメラを使用する場合、その電化製品はSteveがフットボールのジャージを着ていることを認識し、電化製品の設定を「スポーツ」モードに自動変更することができる。
【００２０】
設定に影響を及ぼし得る別の条件は時刻である。利用者は時刻に依存する異なる設定を有することができ、又は日没後に音量レベルや輝度を落とすこと等、時刻を考慮するように設定を修正することができる。
【００２１】
設定は利用者行動にも適合し得る。何らかの外的条件に基づいて輝度が自動で下げられた後利用者Billが輝度を常に戻す場合、電化製品はそれを学習しBillが室内にいるときは輝度の修正を止める（又は輝度をより小幅に修正する）ことができる。
【００２２】
室内に複数の人が存在する又は「ログイン」している場合、電化製品はどの設定を使用するのか決めなければならない。設定を決めることを実現する多くのやり方があり、その一部の例を以下に示す。
【００２３】
・好みの設定の単純な一次結合（（Ａ＋Ｂ＋Ｃ）／３）。Steveが３０の音量を好み、Billが２０の音量を好み、Cathyが４０の音量を好む場合は音量が自動で３０に設定される［floor（（３０＋２０＋４０）／３）］。
【００２４】
・室内の人の相対的地位に依存する好みの設定の加重結合（（２Ａ＋２Ｂ＋Ｃ）／５）（Cathyが子どもでBillとSteveが大人の場合、ことによるとCathyの方が設定に小さい影響を有する）。上記の値を使用し、音量が２８に設定される［floor（（６０＋４０＋４０）／５）］。
【００２５】
・利用者が一次的に又は所定の関数若しくは加重によって調節したくない特定の設定がある。それらの設定は所定の曲線によって表し、室内の利用者の平均又は加重平均に一致する曲線上の点に調節（変更）することができる。Billの２０の値が曲線上の点５に一致し、Steveの３０の値が曲線上の点７に一致し、Cathyの４０の値が曲線上の点１２に一致する場合、曲線上の平均点は８［floor（（５＋７＋１２）／３）］になり、これは３２の音量設定に対応し得る。
【００２６】
・優性／劣性の概念を以下の２つのやり方の一方で適用することができる。
・人による優性：Steveが室内にいる場合は彼の設定が他人をオーバーライドする。室内に「劣性」として分類された人しかいない場合、ネゴシエーションは残りの方法の１つによるものとすることができる。「優性」として分類された複数の人が存在する場合、ネゴシエーションは残りの方法の１つによって行われ得る。
・設定による優性：特定の設定を「優性」として指示することができ、その設定は室内の優性の人によって設定されることを意味し、単純なオン／オフ型の設定に最も有用であり得る。
【００２７】
・利用者は全員優先順位を有することができ、室内で最も高い優先順位を有する利用者がネゴシエーションに勝つ。
【００２８】
・設定は単純な多数決シナリオによって決定され得る（オン／オフ型の設定に最も有用である）。例えばBillとCathyがＨＤＲモードをオンにしたいがSteveはオンにしたくない場合、BillとCathyの組合せが勝つ。
【００２９】
・設定は、室内の利用者の好みの設定の中で最も低い値によって決定され得る。例えばBillとCathyがＨＤＲモードをオンにしたいがSteveはオンにしたくない場合、Steveが最も低い設定として勝つ。音量の例では、Billが最も低い設定で勝つことになる（２０＜３０＜４０）。
【００３０】
・電化製品がカメラを使用する場合、その電化製品（カメラ）は誰の設定が使用されるのかに関する友好的競争の結果を検出することさえできる。適切なソフトウェアを有するカメラは、ことによるとじゃんけんや腕相撲競争の結果を検出することができる。
【００３１】
これらのモードの組合せもあり得る（時として必要である）。全ての設定ネゴシエーションが同じ方式に従うことができるが、各設定が異なるネゴシエーション方式を使用することもあり得る。
【００３２】
室内の人々の集団によって設定が修正される場合、次に同じ人々の集団が全員室内にいるとき、電化製品はその集団の設定を覚えておくことができる。その集団より多い人々が室内に存在する場合、ネゴシエーションを初めから行ってもよいし、又は過去にネゴシエートされた設定をグループの好みとして使用し、１つの単位としてその集団に基づいてネゴシエーションを行ってもよい。公平なネゴシエーションのために、集団はネゴシエート対象の如何なる個人よりも高い重みを有する必要があると考えられる。
【００３３】
電化製品がカメラを使用する場合、室内の人数を検出することができ、室内の何人の人が３Ｄメガネを着用していると見なされるのかに基づいて、３Ｄ等の機能を有効に又は無効にすることができる。これは単純な多数決によって、又は３Ｄメガネを着用していない人の方が設定に強い影響を有し得るように、あるいは加重スケールに基づいて行われ得る。
【００３４】
室内に何人か存在するが、電化製品に注意を払っていない（読書している、寝ている、会話している）ことを検出することが可能であり得る。これは姿勢追跡及び視標追跡、ＩＲカメラを用いて脈動を読み取ること、又は別の方法によって行うことができる。注意を払っていない人が室内にいる場合、電化製品の設定をネゴシエートすることに関して何を行うのかについての幾つかの選択肢がある：
【００３５】
・注意を払っていない人は室内にいないかのように扱うことができる。注意を払っていないので、それらの者の好みは関係ない。
【００３６】
・注意を払っていない人は「ゴースト」プロファイルとして扱うことができ、ゴーストプロファイルは読書／会話等を行えるように音量等の事項について低い設定を有し得る。
【００３７】
注意を払っていない１人又は複数の人が存在する場合、設定に関するネゴシエート様式を変えることができる。
【００３８】
・注意を払っていない人は、半分注意を払っている場合は通常通り扱うことができる。
【００３９】
誰かが寝ていると検出される場合、自動で適用され又はネゴシエートされる専用設定があり得る。例えば音量に上限を設けることができ（且つ／又は音量を自動で下げることができ）、輝度を自動で下げることができ、色温度を青色ではなく赤色にシフトすることができる（高い色温度は、眠りにつく能力及び睡眠の質に影響を及ぼすメラトニンの生成を抑えることが分かっている）。
【００４０】
設定ネゴシエーションの別の可能性はペアレンタルコントロールである。室内の人々の１人が子どもであるとログインプロセスが判断し、ペアレンタルコントロール設定を自動で適用することができる。室内に大人しかいない場合、ペアレンタルコントロールを自動で無効又は低減することができる。室内に大人と子どもが存在する場合、ペアレンタルコントロールは、例えば現在のチャンネルを誰が変えているのかを検出し、大人の１人が設定変更を行う場合は任意の設定変更（例えばチャンネルの変更）を可能にするが、子どもの１人が設定変更（例えばチャンネルの変更）を試みている場合は設定変更（例えばチャンネルの変更）を却下することができる。これにより、プロファイル間で関係を定義することを可能にする。SteveがCathyと「ペアレンタル」な関係を有する場合、かかる関係はCathyが室内にいる間ペアレンタルコントロールによってブロックされるチャンネル／番組にSteveがチャンネルを変えることを可能にし得る。BillがCathyと「ペアレンタル」な関係を有さない場合、ペアレンタルコントロールはCathyが室内にいる間Billがチャンネルを不所望のコンテンツに変えるのを妨げる。
【００４１】
以下は、これらのやり方でネゴシエートされ得る一部の設定の簡潔な（非網羅的な）一覧である。
・番組の選択
・音量レベル
・チャンネル
・３Ｄのオン／オフ
・３Ｄの奥行
・クローズドキャプション設定
■フォント
■色
■サイズ
■オン／オフ
・輝度
・コントラスト
・ピクチャモード
・音声モード
・多重音声出力
・ペアレンタルコントロール
・ＨＤＲのオン／オフ
当然ながら、ネゴシエート可能なはるかに多くの設定がある。
【００４２】
設定を適用する別の有用なやり方は、状況認識の形式によるものであり得る。センサ、マイクロフォン、及びカメラの組合せを使用し、家庭電化製品の近くで何が起きているのかを理解することに基づいて設定を決定し又はネゴシエートすることができる。ビデオカメラや赤外線カメラ等を含む様々な種類のカメラを使用することができる。カメラは、熱探知、奥行検知、運動検知、及びビデオ録画を含む様々な方法で使用することができる。カメラは、熱探知カメラ、静止カメラ、プレノプティックカメラ、及び／又は飛行時間カメラも含み得る。幾つかの例として運動検知、温度検知、湿度検知、パワーメータ、及び開閉検知（例えばドアや窓が空いていることを検知すること）を含む多くの異なるセンサが今日市販されている。
【００４３】
これらの及び他の装置並びに幾つかのハードウェア又はソフトウェアによって入手可能な入力の組合せを使用し、これだけに限定されないがサーモスタットやセキュリティシステム等の家庭用電子機器及び宅内管理装置を含む多くの異なる家庭電化製品上の設定に対して状況認識を実現し適用することができる。観察され得る事項の一部の例は、室内の誰かの年齢や性別、室内の人の現在の活動、又は部屋の現在の雰囲気であり得る。
【００４４】
マイクロフォン及びカメラを使用し、人の年齢及び性別を或る期間にわたってより高い精度で判定し、装置の設定に適用することができる。この情報はその場で使用することができ、又はプロファイル内に記憶し、情報決定のより優れた精度を実現するために経時的に更新することができる。とりわけ年齢は、ペアレンタルコントロールを含む様々な方法で使用され得る。人の年齢が閾値を下回ると判定される場合、ペアレンタルコントロールを自動で有効に又は修正することができる。性別判定は、ビデオサービスによって提供されるおすすめに影響し得る。
【００４５】
性別及び年齢認識は、手掛りとして体形、顔ひげ、及び化粧を使用することができる。声の調子、抑揚、及び歯擦音のどれも性別及び年齢と共に予想通りに変わるので、声は最も正確な手掛りの１つを与え得る。カメラは唇の動きをモニタすることによって声を人と相関させる。つまり、設定が調節されている装置は第２の装置から入力を受信することができる。第２の装置（カメラやセンサ等）は、領域内に存在する人の物理的特性を検出する。物理的特性は領域内に誰が存在するのかを特定するために、調節されている装置によって使用される。領域内に誰が存在するのかが特定されると、その情報を使用して領域内に存在する者のプロファイル情報が識別され捜し出される。この情報もオンザフライで決定してもよいし、又はプロファイル内に記憶し、精度を改善するために更新してもよい。室内に複数の人が存在する場合には、人々の間の関係を決定することができる。関係を決定することは、親子、配偶者、友人関係、あるいは他の関係に当てはまり得る。決定されるこれらの関係は、ペアレンタルコントロール（例えば親は自分の子どものためのペアレンタルコントロールをオーバーライドできるのに対し、他者はペアレンタルコントロールをオーバーライドできない）やネゴシエート設定等に使用され得る。つまりプロファイル情報は、物理的特性、年齢、性別、好きなチーム、又は人やプロファイル間の関係を含む。プロファイル情報（データ）は記憶され、経時的に更新される。プロファイルデータ（情報）の更新は、そのプロファイルの人物によって行われても良く、又は二次装置による観察によって自動で行われ得る。例えば、成長している子ども（男子）は顔ひげをたくわえることがあり、又は或る人は毛を失い始める若しくは突然失うことがある。脱毛は加齢の結果である場合があり、又は化学療法の結果として突如生じる。調節されている装置は、第２の装置（例えばカメラや他のセンサ）から入力を受信し得る。第２の装置は、例えば領域内に子どもがいることを検出し得る。コンテンツの受信及びレンダリングに調節されている装置が使用される場合、ペアレンタルコントロールが自動で呼び出される。ペアレンタルコントロールは、親、保護者、又は子どもと所定の関係を有する他の成人によってオーバーライドされる場合があり、又はオーバーライドされ得る。
【００４６】
プロファイルは、認識されるがシステム上のアカウントを有さない人について作成され得る。複数の場面にわたって人が認識されるとき、これらの「ゴースト」プロファイルを通常のプロファイルのように更新することができる。その一例は、家に頻繁に訪れるがシステム上のアカウントを有する必要のなかった友人である。この人物はやがてシステム上のアカウントを作成することができ、システムはそれらの者に関連する「ゴースト」プロファイルの情報を用いて新たなプロファイルにデータ投入することができる。身長、性別、関係等の事項はゴーストプロファイルに関して過去に特定されている可能性があり、新たなプロファイルはその情報の全てを含むことになる。新たなプロファイルが作成されていない場合、システムは例えば設定のネゴシエーションや距離に基づく変更等の事項についてその人の「ゴースト」プロファイルを使用することができる。
【００４７】
運動センサ、ビデオカメラ、温度カメラ、及び赤外線カメラ並びにマイクロフォンからの音声の組合せは、室内の人の現在の活動に関する多くの手掛りを与え得る。赤外線カメラは心拍を検出するために使用することができ、温度カメラは体温を検出するために使用することができ、人が体操をしている、踊っている、又は歌っていると判断し、その活動に従って家庭電化製品に変更を加えるために、マイクロフォン、ビデオカメラ、及び運動センサのデータを合わせて使用することができる。人が歌っている又は踊っているものとして検出される場合、音を提供している家庭電化製品の音量を上げ下げすることができ、又は音声周波数範囲を低減して、カラオケを模倣するために装置のイコライザを修正することができる。人が体操をしていると判定される場合、センサのデータを装置又はアプリケーションに適用して、心拍、体温、又は体操プログラムの経過を追跡することができる。平熱に対する高体温又は低体温を検出することは、サーモスタットを修正するために、あるいは発熱している可能性があること等をその人に知らせるためにさえ使用することができる。
【００４８】
カメラは、着用されている服を含む着用物からの手掛かりや、あるいは身体上に着用されている電子装置のセンサを検出するために使用され得る。それらの手掛かりは、その人がスポーツのジャージを着ているかどうかを判断するために使用することができ、スポーツ視聴モードに関係する設定を適用することができる。着用物はスポーツのジャージだけを含む訳ではない。スポーツチームのロゴを付けた衣類（着用物）、衣類は帽子、キャップ、ジャージ、シャツ、スウェットシャツ、ジャケット、短パン、パンツ、運動競技用パンツ、スウェットパンツ、靴等を含み、スポーツチームのロゴはプロスポーツチームのロゴ、大学スポーツチームのロゴ、又は国際的な（例えばオリンピック）スポーツチームのロゴとすることができ、更にスポーツチームのロゴは、フットボール、野球、バスケットボール、サッカー、ホッケー、スキー、スノーボード、水泳、ダイビング、バレーボール等を含み得る。手掛りは、人が３Ｄメガネを着用しているかどうかを判断し、３Ｄ視聴モードに自動で切り替えることができる。手掛りは、人がスマートウォッチ／活動バンドを着用しているかどうか又はスマートフォン若しくはタブレットを保持しているかどうかを判断し、アプリケーションへのデータのアップロード又は視聴中の現在の番組に関する情報のダウンロードも引き起こし得る。
【００４９】
赤外線カメラは、赤外線カメラの位置からの人の距離を決定するために使用され得る。この距離は、装置からの人の距離に応じてテレビ上のクローズドキャプションのサイズを大きくし若しくは小さくするために、又は第３の装置の暖房若しくは冷房設定を調節するために使用され得る。室内の人の位置に応じて家庭電化製品の音量を上げ下げするために奥行情報も使用することができる。この情報は、室内の何処に人が存在するのかに応じて暖房／冷房をより効果的に方向付ける目的でサーモスタットの動作を変更するために使用することもできる。
【００５０】
室内の照明を検出するために様々なカメラを使用することができ、現在の照明からの手掛りを使用して家庭電化製品の輝度／コントラストやビデオモード等の事項を修正することができる。照明の手掛りは、室内の現在の照明に基づいて電子式ブラインドを動作させて外からの光を入れる／遮るための、利用者によって設定される好みに基づいて使用することもできる。逆に、部屋の一貫した光レベルを保つために、外から差し込む光に応じて室内の照明を明るくし又は薄暗くすることができる。
【００５１】
（幾つかのシナリオ例）
以下は、提案する方法及び機器の方法及び機器を使用するあり得るシナリオの幾つかの例である。
【００５２】
１）「一方の配偶者が寝たいが他方の配偶者がＴＶを見たい」状況では、ＴＶが人物認識技法を使用して１人の人が寝ようとしていると判断することができる。カメラ又は光センサは、寝室の電気が消えていると判断することができる。時刻も考慮することができる。この競合が検出される場合、ＴＶがコントラスト低減及び音量制限をアクティブ化する。この条件が検出されると、ＴＶがオフにされるまでモードがアクティブ化されたままになる。
【００５３】
２）「一部の者が会話をしたいが他の者が試合に集中したいスポーツパーティ」の状況では、ＴＶは、番組がスポーツイベントであること、室内に大勢の人々が存在すること、及び会話レベルが高いことを認識することができる。競合が検出される場合、ＴＶがクローズドキャプションをアクティブ化する。この条件が検出されると、イベントが終了するまでモードがアクティブ化されたままになる。加えて、キャプションをピクチャの下に配置できるようにするためにピクチャを縮小することができ、それによりボールが覆い隠される可能性がなくなる。
【００５４】
３）室内に存在する人が「異なるコマーシャルの好み」を有する状況では、ＴＶは顔認識によって室内の個人を認識し又はそれらの者の年齢及び性別を確認しようと試みることができる。するとターゲット広告が全員の興味を引く広告を好み、部屋の一部の占有者にとって不適切であり得る広告を嫌うことができる。
【００５５】
４）「一方の人が暑くて他方の人が寒い」状況では、現在の暖房／冷房区域についてサーモスタットを調節する必要がある。しかし、異なる好みの温度を有する２人の人が区域内に存在する場合、両方の人を幾らか快適にするために２つの好みの温度間の既定曲線に基づいて温度設定を調節することができる。
【００５６】
５）番組を選択する事例では、室内に存在する人に基づいて自動で番組を選択するように電化製品（例えばＴＶ）を構成することができる。
【００５７】
６）多重音声出力の事例では、電化製品（例えばＴＶ）の利用者が電化製品にヘッドフォンをそれぞれ差し込んでいる場合、誰がどのヘッドフォンを使用しているのかに応じて、及び各ヘッドフォンユーザの好みに従って、ヘッドフォンセットごとに設定が異なり得る。
【００５８】
ネゴシエート済みの設定がアクティブ化されるときは視聴者に知らせることが有利である。知らせることで自分のテレビが誤作動していると視聴者が考えるのを防ぎ、機能の存在をその視聴者に注意喚起する。通知は、一時的に表示されるテキスト又はアイコンの形を取り得る。テキスト又はアイコンは一時的に表示することができ、又はモードの持続時間にわたって表示することができる。
【００５９】
設定を利用者と共に移動させることもできる。フットボールの試合を見るためにSteveがBillの家に行った場合、ことによるとＵＳＢキー上で設定を持ち運ぶこと等の手動の手段によって、Steveのアカウントを作成してSteveのスマートフォンから又はサーバからSteveの設定をインポートすることによって、あるいはソーシャルメディアアカウントに連動したSteveの或る種の認識によってさえ（SteveとBillはFacebookの友人であり、そのためSteveの設定が彼のFacebookアカウントからBillのFacebookアカウントに、そしてBillのＴＶに届く）、BillのＴＶがSteveの設定を理解できる可能性がある。Steveの設定は１回だけインポート（ダウンロード）されれば良い場合がある。
【００６０】
当然ながら異なる視聴環境では、Steveが輝度等の特定の項目について自分の標準設定を使用したくない可能性があり、又はSteveがBillの環境内での好きな設定に自分の通常設定を微調整して、この設定を、SteveがBillの家にいるときのために保存する可能性がある。設定は電化製品上にローカルに、クラウド内の何処かに、Steveのスマートフォン上に、更にはFacebookや他の何らかのソーシャルメディアアカウント上にさえ記憶することができる。
【００６１】
ＴＶがSteveの設定の好み及びBillの設定の好みの両方を利用できる場合、そのＴＶはSteveの設定を使用するのか、Billの設定を使用するのか、又は混合設定を使用するのかを尋ねるメニューを提示することができる。混合設定はBill及びSteveによって手動で構成されても良く、又は各利用者の設定を組み合わせることによって自動で構成され得る。例えばBillが輝度を５０に設定し、Steveが輝度を７０に設定する場合、自動混合設定は輝度を６０に設定し得る。混合設定を作成できない場合、自動構成される混合は「ホーム」ユーザ（この場合はSteveがBillの家に行ったのでBill）をデフォルトとする。BillとSteveが自分たちの混合設定を手動で構成することに決める場合、構成可能な各設定を示し、且つBillとSteveが「Billの設定」、「Steveの設定」を素早く選択したり、手動で構成することを可能にするユーザインタフェースがあり得る。
【００６２】
図１は、提案する方法及び機器の原理による、例示的な装置の自動設定ネゴシエーション方式の工程図である。自動設定ネゴシエーションは特定の装置に固有である。例えば、サーモスタットの自動設定はＴＶの自動設定と同じではない。１０５で、利用者が装置にログインしたかどうかの判定を行う。利用者は、装置自体に取り付けられ又は装置自体に関連するキーパッド、リモコン装置、スマートフォン、コンピュータ、ラップトップ、タブレット、ｉＰａｄ（登録商標）、ｉＰｏｄ（登録商標）、ｉＰｈｏｎｅ（登録商標）、音声Ｉｄ、ビデオＩＤ、指紋や虹彩スキャンを含むバイオメトリクデータによってログインすることができる。つまり自動設定ネゴシエーションを行うように構成される装置は、音声入力を受け付け（受信し）音声認識を行う機能、又はカメラを用いたビデオ入力を受け付ける（受信する）機能を備えていても良い。装置は、リモコン、スマートフォン、タブレット、ラップトップ、コンピュータ、ｉＰｏｄ、ｉＰａｄ、ｉＰｈｏｎｅ等からバイオメトリクデータ又は有線ログイン若しくは無線ログインを受け付ける（受信する）機能を備えていても良い。１１０で、装置が設定を自動でネゴシエートし調節するように構成されているかどうかの判定を行う。ここでも、ネゴシエートされ調節されるように構成される又は構成されている設定は装置ごとに異なる。１１５で、どの設定が自動でネゴシエートされ調節されるように構成されているのかに関する判定を行う。単に特定の設定をネゴシエートし調節し得るというだけで、自動でとは、自動でネゴシエートされ調節され得る設定の全てが自動でネゴシエートされ調節されるように構成される訳ではない。例えば、単にピクチャ（画面サイズやアスペクト比）を調節できるというだけで、特定の設定が自動でネゴシエートされ調節されるように構成されることを意味するものではない。１２０で、室内に誰が存在するのかに関する判定を行う。この判定は、どの設定を使用するのか並びに自動設定ネゴシエーション及び調節が必要かどうかに影響する。この時点で、室内に存在する者の活動に関する判定も行われる。例えばＴＶを見ること、ＴＶやステレオシステムを聴くこと、読書すること、寝ること等。一部の事例では、室内に存在する者の活動が幾つかの装置の自動設定ネゴシエーションに影響し又は影響し得る。例えば室内に存在する者の一部が寝ている場合、そのことはサーモスタットの温度設定及びＴＶやステレオの音量の両方に影響を及ぼす。１２５で、どのような設定ネゴシエーション方法を使用するのかに関する決定を行う。例えば、一次結合、加重結合、所定の曲線、優性／劣性手法（方法、方式）、優先順位方式、多数決方式、最低値方式、競争、又は上記の方式の何れかの組合せを使用することができる。どのような設定ネゴシエーション方法を使用すべきかに関する決定が行われると、設定調節を決定するためにネゴシエーション方法が実行される（行われる）。最後に１３０で、装置の設定調節が装置によって行われる。
【００６３】
図２は、提案する方法及び機器の原理による、例示的な装置構成方式の工程図である。２０５で、利用者（装置の所有者）が装置にログイン（ログオン）する。装置構成は特定の装置に固有である。例えば、サーモスタットの装置構成はＴＶの装置構成と同じではない。利用者は、装置自体上のキーパッド、リモコン装置、スマートフォン、コンピュータ、ラップトップ、タブレット、ｉＰａｄ、ｉＰｏｄ、ｉＰｈｏｎｅ、音声Ｉｄ、ビデオＩＤ、指紋や虹彩スキャンを含むバイオメトリクデータによってログインすることができる。つまり装置は、音声入力によるユーザログインを受け付け（受信し）音声認識を行う機能、又はカメラを用いたビデオ入力によるユーザログインを受け付ける（受信する）機能を備えていても良い。装置は、リモコン、スマートフォン、タブレット、ラップトップ、コンピュータ、ｉＰｏｄ、ｉＰａｄ、ｉＰｈｏｎｅ等からバイオメトリクデータ又は有線ログイン若しくは無線ログインを受け付ける（受信する）機能を備えていても良い。２１０で、装置設定が、時刻（ＴｏＤ）、周囲照明、雑音レベル、室内に誰が存在するのか、室内に存在する者の活動、及び他の関連パラメータに基づいて構成される。個々の装置が異なるパラメータ又は異なるパラメータのサブセットを使用することができる。構成は上記の手段の何れとすることもでき、ＵＳＢ（フラッシュ、サム）ドライブ又はメモリカードを使用して実現することもできる。このことは特にゲストユーザにとって有用である。利用者又はゲストユーザはゲストユーザの設定を保存するかどうかに関するメッセージを表示され得る。ゲストユーザが頻繁に訪れる訪問者である場合にこの機能は役に立つ。２１５で、どの設定が自動でネゴシエートされ調節されるかに関して、装置は構成される。単に特定の設定をネゴシエートし調節できるというだけで、自動でとは、自動でネゴシエートされ調節され得る設定の全てが自動でネゴシエートされ調節されるように構成されることを意味するものではない。例えば、単にピクチャ（画面サイズやアスペクト比）を調節できるというだけで、特定の設定が自動でネゴシエートされ調節されるように構成されることを意味するものではない。２２０で、どの設定がどのネゴシエーション方式を使用するのかに関して、利用者が装置を構成する。例えば、一次結合、加重結合、所定の曲線、優性／劣性手法（方法、方式）、優先順位方式、多数決方式、最低値方式、競争、又は上記の方式の何れかの組合せを使用することができる。
【００６４】
図３は、提案する方法及び機器の原理による、例示的な装置の動作の概略図である。装置を構成（又は再構成）してその設定の一部又は全てを自動で調節（変更）するために、利用者（装置の所有者）が装置にログインする。利用者は、ログインモジュールと双方向通信する通信インタフェースモジュールによってログインする。装置構成は特定の装置に固有である。例えば、サーモスタットの装置構成はＴＶの装置構成と同じではない。利用者は、装置自体に取り付けられ又は装置自体に関連するキーパッド、リモコン装置、スマートフォン、コンピュータ、ラップトップ、タブレット、ｉＰａｄ、ｉＰｏｄ、ｉＰｈｏｎｅ、音声ＩＤ、ビデオＩＤ、指紋や虹彩スキャンを含むバイオメトリクデータによってログインすることができる。つまり装置は、音声入力によるユーザログインを受け付け（受信し）音声認識を行う機能、又はカメラを用いたビデオ入力によるユーザログインを受け付ける（受信する）機能を備えていても良い。装置は、リモコン、スマートフォン、タブレット、ラップトップ、コンピュータ、ｉＰｏｄ、ｉＰａｄ、ｉＰｈｏｎｅ等からバイオメトリクデータ又は有線ログイン若しくは無線ログインを受け付ける（受信する）機能を備えていても良い。利用者が装置にログインすると、利用者は自動で調節（変更）したい設定に関する入力を装置に与えることができる。利用者の入力は、通信インタフェースモジュールによって設定構成モジュールに対話式に与えられる。通信インタフェースモジュールは、設定構成モジュールと双方向通信する。双方向通信は、ボイスコマンド、又は装置によるメニュー若しくは他のプロンプトであり得る。利用者の入力は、装置自体に取り付けられ又は装置自体に関連するキーパッド、リモコン装置、スマートフォン、コンピュータ、ラップトップ、タブレット、ｉＰａｄ、ｉＰｏｄ、ｉＰｈｏｎｅ、装置自体に取り付けられ又は装置自体に関連するキーパッドを使用して与えられ得る。どの設定を自動で調節（変更）すべきかを利用者が構成すると、利用者は設定を自動で調節（変更）するために使用されるネゴシエーション方式を構成する。利用者との全ての通信が上記の手段の何れによっても行われ得ることに留意すべきである。利用者は、通信インタフェースモジュールによってネゴシエーション方式構成モジュールと通信する。通信インタフェースモジュールは、ネゴシエーション方式構成モジュールと双方向通信する。ネゴシエーション方式の構成は、設定の構成後に行うことができ又は設定の構成と共に行うことができることにも留意すべきである。つまり、利用者は自動で調節（変更）しようとする設定を指定し、自動調節（変更）を行うために使用するネゴシエーション方式を指定し、次いで自動調節しようとする別の設定を指定することができる。構成される設定及びネゴシエーション方式の両方がメモリ（記憶域）の中に記憶される。構成プロセスは、その好みを考慮すべき他の利用者も指定することができる。かかる指定は、装置の所有者（利用者）によって又はその好みを考慮すべき他の個人によって実現され得る。自動で調節（変更）すべき設定に関して装置が既に構成されており、利用者が再びログインする場合、利用者は過去に構成した自らの設定又はネゴシエーション方式の何れも更新することができる。構成は上記の手段の何れとすることもでき、ＵＳＢ（フラッシュ、サム）ドライブ又はメモリカードを使用して実現することもできる。このことは特にゲストユーザにとって有用である。利用者又はゲストユーザはゲストユーザの設定を保存するかどうかに関するメッセージを表示され得る。ゲストユーザが頻繁に訪れる訪問者である場合、この機能は役に立つ。
【００６５】
自動で調節（変更）すべき設定に関して装置が既に構成されており、利用者が再びログインする場合、利用者は装置に設定を自動調節してほしい可能性がある。利用者は、装置の所有者又は構成される自動設定調節について自身の好みを有する他の任意の個人であり得る。自身の好みを有する各利用者は、自動で調節（変更）すべき設定の異なるサブセットを構成している可能性があることに留意すべきである。或る設定は１人又は複数の利用者にとって重要ではない場合があり、又は一部の事例、例えばペアレンタルコントロールでは、子どもの利用者がかかる設定を変更し又はオーバーライドすることを許可されない場合がある。設定決定モジュールは、（もしある場合）どの設定が自動で調節（変更）されるように構成されるのかを決定する。設定決定モジュールは、上記の構成プロセスのデータを保持するメモリ（記憶域）にアクセスすることによってこの機能を実現する。次いで、設定決定モジュールはこの情報（データ）を、室内に誰が存在するのかを特定するプレゼンス判定モジュールに渡す。ログインしている利用者だけがいる場合、設定調節ネゴシエーションの必要はない。室内に複数の個人が存在する場合、装置は誰が存在するのか及び室内にいる個人の誰かが好みを構成しているかどうかを特定しようと試みる。この機能は設定構成情報及びネゴシエーション方式情報が記憶（保存）されたメモリ（記憶域）にアクセスすることによって実現される。プレゼンス判定モジュールはこの情報（データ）をネゴシエーション方式決定モジュールに渡し、ネゴシエーション方式決定モジュールは、室内にいる様々な利用者の設定の好みの違いを解決するために、どのネゴシエーション方式を使用するのかを決定する。ネゴシエーション方式決定モジュールは、構成情報（データ）が記憶（保存）されたメモリ（記憶域）にアクセスすることによってこの機能を実現する。ネゴシエーション方式決定モジュールは、設定調節を実際に決定するネゴシエーション方式実行モジュールにこの情報（データ）を伝える。設定調節は設定調節モジュールに転送され、設定調節モジュールは実際に設定の調節（変更）を行い、又は自らが通信する通信インタフェースモジュール経由で第３の装置に変更を転送する。通信インタフェースモジュールは、第２の装置又は利用者からの入力を受け付ける（受信する）ことができる。通信モジュールは、自らが受信する任意の入力をログインモジュール、設定構成モジュール、ネゴシエーション方式構成モジュール、プロファイルモジュール、又はプレゼンス判定モジュールに転送する。プレゼンス判定モジュールは、通信インタフェースモジュール経由で第２の装置からも入力を受信する。第２の装置はセンサやカメラ等を含み得る。プレゼンス判定モジュールは、任意の活動が生じているかどうか及びその活動が何なのかも判断する。プレゼンス判定モジュールは、通信インタフェースモジュール経由で受信される第２の装置からの入力に基づいて領域内に存在する人の間の距離も決定し、装置からの人の距離も決定する。通信インタフェースモジュールは、プレゼンス判定モジュールと同様に、ネゴシエーション方式決定モジュールとインタフェースする。ネゴシエーション方式決定モジュールは、第２の装置からの入力に応じて、及び利用者によって指定され過去にメモリ（記憶域）の中に記憶（保存）された設定の好みに従って装置設定を調節する。通信インタフェースモジュールは、第３の装置に入力を送信することもできる。通信インタフェースモジュールは、第３の装置のための変更を、当該通信インタフェースモジュールと通信している設定調節モジュールから受信する。第３の装置の設定を変更するためにこの入力を使用することができる。第３の装置は、センサ、カメラ、モノのインターネット（ＩｏＴ）装置、照明、サーモスタット、又は制御可能な他の任意の家庭電化製品等を含み得る。プロファイルモジュールは、メモリと双方向通信する。プロファイルモジュールは、プロファイル（通常のプロファイル及びゴーストプロファイルの両方）を作成し更新する。ログインした利用者のために、通常のプロファイルが作成される。プロファイルモジュールは、自らが通信する通信インタフェースモジュールを介して入力を受信する。プロファイルモジュールは、ゴーストプロファイルから通常のプロファイルも作成する。プロファイルモジュールは、プロファイル間の関係も決定する。プロファイルは、メモリ内に記憶される。
【００６６】
図３に示したモジュールは例示的であり、その何れも特定用途向け集積回路（ＡＳＩＣ）、縮小命令セットコンピュータ（ＲＩＳＣ）、書替え可能ゲートアレイ（ＦＰＧＡ）等やその等価物とし得る１個又は複数個のプロセッサ上で実行されるソフトウェアによるものとすることができる。図３に示した例示的モジュールは、設計への悪影響なしに数を増やし又は減らすことができる。
【００６７】
提案した方法及び機器は様々な形態のハードウェア、ソフトウェア、ファームウェア、専用プロセッサ、又はその組合せによって実装され得ることを理解すべきである。専用プロセッサは、特定用途向け集積回路（ＡＳＩＣ）、縮小命令セットコンピュータ（ＲＩＳＣ）、及び／又は書替え可能ゲートアレイ（ＦＰＧＡ）を含み得る。好ましくは、提案した方法及び機器はハードウェアとソフトウェアとの組合せとして実装される。更にソフトウェアは、好ましくはプログラム記憶装置上に有形に具体化されるアプリケーションプログラムとして実装される。アプリケーションプログラムは、任意の適切なアーキテクチャを含むマシンにアップロードされ、かかるマシンによって実行され得る。好ましくは、そのマシンは１個又は複数個の中央処理装置（ＣＰＵ）、ランダムアクセスメモリ（ＲＡＭ）、入出力（Ｉ／Ｏ）インタフェース等のハードウェアを有するコンピュータプラットフォーム上に実装される。コンピュータプラットフォームは、オペレーティングシステム及びマイクロ命令コードも含む。本明細書に記載した様々なプロセス及び機能は、オペレーティングシステムによって実行されるマイクロ命令コードの一部又はアプリケーションプログラムの一部（又はその組合せ）とすることができる。加えて、追加のデータ記憶装置や印刷装置等の他の様々な周辺装置がコンピュータプラットフォームに接続され得る。
【００６８】
図示の要素は様々な形態のハードウェア、ソフトウェア、又はその組合せによって実装され得ることを理解すべきである。好ましくはこれらの要素は、プロセッサ、メモリ、及び入出力インタフェースを含み得る１つ又は複数の適切にプログラムされた汎用装置上でハードウェアとソフトウェアとの組合せによって実装される。本明細書では「結合」という語句は、１つ又は複数の中間コンポーネントに直接接続されること、又は１つ若しくは複数の中間コンポーネントを介して間接的に接続されることを意味するものと定義する。かかる中間コンポーネントは、ハードウェアによるコンポーネント及びソフトウェアによるコンポーネントの両方を含み得る。
【００６９】
添付図面に示した構成要素であるシステムコンポーネント及び方法ステップの一部はソフトウェアによって実装することが好ましいので、提案した方法及び機器をプログラムする方法に応じてシステムコンポーネント（又はプロセスステップ）間の実際の接続が異なり得ることを更に理解すべきである。本明細書の教示を所与として、当業者は提案した方法及び機器のこれらの及び同様の実装又は構成を考えることができる。
【図１】
2018526841.tif 000003
【図２】
2018526841.tif 000004
【図３】
2018526841.tif 000005
【国際調査報告】
2018526841.tif 000006
2018526841.tif 000007